(57)【要約】【課題】気圧循環式発電システムを提供する。【解決手段】主に平板、１組のシリンダ、キャリア、気動式発電機を含む。該キャリアが該組シリンダ中の一つに移動し至ると、該キャリアはそれが積載する物体の重量により、該シリンダはシリンダ出気口より気体を送出し、該平板は該キャリア所在の位置に向かって傾斜する。同時に気体は該発電機入気口に送入され、該気動式発電機は電力を発生し、気体は発電機出気口、シリンダ入気口を経由し、前に気体を送出したシリンダに戻り、該平板は元の状態を回復する。また該平板は上昇し、該キャリアを連動し該キャリアは別のシリンダに向かって移動する。【選択図】図５
2006266263.tif 000002
【特許請求の範囲】
【請求項１】
一種の気圧循環式発電システムにおいて、主に平板、１組のシリンダ、キャリア、気動式発電機を含み、
該平板上には支柱を設置し、
該１組のシリンダは該平板下に平均に設置し、該平板を押上げ、かつ一方通行のシリンダ入気口とシリンダ出気口を具え、
該キャリアは該平板上に設置し、該平板上の該支柱と接続関係にあり、
該気動式発電機は一方通行の発電機入気口と発電機出気口を具え、該発電機入気口と該シリンダ出気口は通じ、該発電機出気口と該シリンダ入気口は通じ、
該キャリアが該組シリンダ中の一つにまで移動した時、該キャリアはそれが積載している物体の重量により、該シリンダは該シリンダ出気口から気体を送出し、該平板は該キャリアの所在に向かい傾斜し、同時に気体を該発電機入気口に送入し、該気動式発電機は電力を発生し、気体を該発電機出気口、該シリンダ入気口より回収、再利用され、前に気体を送出した該シリンダに戻し、該平板は元の状態を回復し、該平板は上昇し該キャリアは連動され次のシリンダに向かって移動することを特徴とする気圧循環式発電システム。
【請求項２】
請求項１記載の気圧循環式発電システムにおいて、前記発電システムはさらに入気槽を含み、該入気槽は該シリンダ出気口が送出する気体を一時的に貯え、該発電機入気口に送出することを特徴とする気圧循環式発電システム。
【請求項３】
請求項１記載の気圧循環式発電システムにおいて、前記発電システムはさらに出気槽を含み、該出気槽は該発電機出気口が送出する気体を一時的に貯え、該シリンダ入気口に送出することを特徴とする気圧循環式発電システム。
【請求項４】
請求項２記載の気圧循環式発電システムにおいて、前記発電システムはさらに加圧器を含み、該加圧器は該組シリンダと該入気槽間に設置し、該組シリンダの内の１個が送出する気体を加圧後、該入気槽に送出することを特徴とする気圧循環式発電システム。
【請求項５】
請求項３記載の気圧循環式発電システムにおいて、前記発電システムはさらに加圧器を含み、該加圧器は該出気槽と該気動式発電機間に設置し、該気動式発電機が送出する気体を加圧後、該出気槽に送出することを特徴とする気圧循環式発電システム。
【請求項６】
請求項１記載の気圧循環式発電システムにおいて、前記シリンダ組は少なくとも１２個のシリンダを含み、該平板下において対称に設置することを特徴とする気圧循環式発電システム。
【発明の詳細な説明】
【技術分野】
【０００１】
本発明は一種の発電システムに関する。特に一種の気圧循環式発電システムに係る。
【背景技術】
【０００２】
人類の現代史は石油依頼の歴史であり、石油エネルギーは枯渇に近づいている。この状況を受けて、水力、火力、風力、潮流、地熱、バイオエネルギー、ソーラー、コージェネーレーション、燃料電池などの代替えエネルギーが注目を集めている。
【０００３】
しかし、火力発電の温室効果ガス発生量は水力発電の数百倍で、かといって水力発電は自然環境を破壊する。一方、風力発電は季節や時間的な制限があり、理想的な発電手段とはいえない。潮流発電は海岸の生態系に大打撃を与えることは疑いがなく、またソーラー発電もパネルの製造工程において環境問題が生じ、バイオエネルギーは広い土地を必要とするなどそれぞれに問題がある。すなわちすべてのエネルギーは長所に対して欠点も存在するのである。
よって上記発電方式の他に、ゼロ汚染で生態系に対して脅威とならない新たな発電方式が求められている。
【発明の開示】
【発明が解決しようとする課題】
【０００４】
本発明はキャリアの重力によりシリンダの気体を離し、気動式発電機に発電させ、さらに気体を回収、再利用し、シリンダに戻すことにより、キャリアは平板上において上昇し、近接するシリンダに向かって移動を継続し、こうして気動式発電機の発電を持続することができる。
【０００５】
本発明は気圧循環式発電システムを提供する。それは主に平板、１組のシリンダ、キャリア、気動式発電機を含み、該１組のシリンダは該平板下に平均に設置し、該平板を押上げ、かつ一方通行のシリンダ入気口とシリンダ出気口を具え、該キャリアは該平板上に設置し、該気動式発電機は一方通行の発電機入気口と発電機出気口を具え、該発電機入気口と該シリンダ出気口は通じ、該発電機出気口と該シリンダ入気口は通じである。
【０００６】
該キャリアが該組シリンダ中の一つにまで移動した時、該シリンダは該シリンダ出気口から気体を送出し、該平板は該キャリアの所在に向かい傾斜し、同時に気体を該発電機入気口に送入し、該気動式発電機は電力を発生し、気体を該発電機出気口、該シリンダ入気口より回収、再利用され、前に気体を送出した該シリンダに戻し、該平板は元の状態を回復し、該平板は上昇し該キャリアは連動され次のシリンダに向かって移動することを特徴とする気圧循環式発電システムである。
【課題を解決するための手段】
【０００７】
請求項１の発明は、一種の気圧循環式発電システムにおいて、主に平板、１組のシリンダ、キャリア、気動式発電機を含み、
該平板上には支柱を設置し、
該１組のシリンダは該平板下に平均に設置し、該平板を押上げ、かつ一方通行のシリンダ入気口とシリンダ出気口を具え、
該キャリアは該平板上に設置し、該平板上の該支柱と接続関係にあり、
該気動式発電機は一方通行の発電機入気口と発電機出気口を具え、該発電機入気口と該シリンダ出気口は通じ、該発電機出気口と該シリンダ入気口は通じ、
該キャリアが該組シリンダ中の一つにまで移動した時、該キャリアはそれが積載している物体の重量により、該シリンダは該シリンダ出気口から気体を送出し、該平板は該キャリアの所在に向かい傾斜し、同時に気体を該発電機入気口に送入し、該気動式発電機は電力を発生し、気体を該発電機出気口、該シリンダ入気口より回収、再利用され、前に気体を送出した該シリンダに戻し、該平板は元の状態を回復し、該平板は上昇し該キャリアは連動され次のシリンダに向かって移動することを特徴とする気圧循環式発電システムとしている。
請求項２の発明は、請求項１記載の気圧循環式発電システムにおいて、前記発電システムはさらに入気槽を含み、該入気槽は該シリンダ出気口が送出する気体を一時的に貯え、該発電機入気口に送出することを特徴とする気圧循環式発電システムとしている。
請求項３の発明は、請求項１記載の気圧循環式発電システムにおいて、前記発電システムはさらに出気槽を含み、該出気槽は該発電機出気口が送出する気体を一時的に貯え、該シリンダ入気口に送出することを特徴とする気圧循環式発電システムとしている。
請求項４の発明は、請求項２記載の気圧循環式発電システムにおいて、前記発電システムはさらに加圧器を含み、該加圧器は該組シリンダと該入気槽間に設置し、該組シリンダの内の１個が送出する気体を加圧後、該入気槽に送出することを特徴とする気圧循環式発電システムとしている。
請求項５の発明は、請求項３記載の気圧循環式発電システムにおいて、前記発電システムはさらに加圧器を含み、該加圧器は該出気槽と該気動式発電機間に設置し、該気動式発電機が送出する気体を加圧後、該出気槽に送出することを特徴とする気圧循環式発電システムとしている。
請求項６の発明は、請求項１記載の気圧循環式発電システムにおいて、前記シリンダ組は少なくとも１２個のシリンダを含み、該平板下において対称に設置することを特徴とする気圧循環式発電システムとしている。
【発明の効果】
【０００８】
本発明はキャリアの重力によりシリンダの気体を離し、気動式発電機に発電させ、さらに気体を回収、再利用し、シリンダに戻すことにより、キャリアは平板上において上昇し、近接するシリンダに向かって移動を継続し、こうして気動式発電機の発電を持続することができる。
【発明を実施するための最良の形態】
【０００９】
図１に示すように、本発明気圧循環式発電システムの平板１０上には支柱５を具え、しかも該平板１０の下部には該平板１０を支える１組のシリンダ（少なくとも１２個のシリンダにより組成する）を具える。
【００１０】
次に図２に示すように、該平板１０上には別に該支柱５と接続関係にあるキャリア１４を設置し、該キャリア１４は該平板１０上において、該支柱５と一定の距離を保持し、該支柱５の周囲を巡り移動する。該キャリア１４は本システムを作動させることができるあらゆる重量の物体を受け支えることができる。
【００１１】
さらに図３に示すように、該平板１０はサポート台３の球状部３aにより、その中心点を上方へと支え、該球状部３aにおいて該平板１０は比較的小さい摩擦力が生じる状況下で、該キャリア１４は該平板１０の移動に従い傾斜する。
【００１２】
次に図５に示すように、本発明気圧循環式発電システムは平板１０、１組のシリンダ（説明の便のため、以下にはシリンダ１６a、１６b、１６c、１６dのみ標示し説明）、キャリア１４、気動式発電機２２を含む。該加圧器１８、２３、入気槽２０、出気槽２４は本発明気圧循環式発電システムの作動効果を強化するものである。該シリンダ１６a、１６b、１６c、１６dは該平板１０底のおよそ四隅に平均に設置する。
【００１３】
該シリンダ１６a、１６b、１６c、１６dはその内部の気圧変化に対応する昇降装置（図示なし）を設置するため、該シリンダ１６a〜d内の気圧変化動態に連れて該平板１０を押し上げる。つまり該シリンダ１６a内の気圧が減少すると、該平板１０全体は該シリンダ１６aの所在に向かって傾斜し、該シリンダ１６aの対角のシリンダ１６dが接触する平板１０位置が最高点になる。反対に該シリンダ１６a内の気圧が増加すると、該平板１０全体は該シリンダ１６aの所在に向かって上昇する。
【００１４】
該平板１０と該シリンダ１６a、１６b、１６c、１６dに上記のような関連性があるため、図５に示すシリンダ１６cの気圧を先に減少させることができる場合には、該キャリア１４は該シリンダ１６cに向かい移動する。ここで再び該シリンダ１６cの気圧を充填すると、該平板１０全体は該シリンダ１６cの所在により上昇し、該キャリア１４は該シリンダ１６dに向かい移動する。該キャリア１４そのものは、それが受け支える物体の重量により圧迫され、その所在のシリンダ１６dは再充填された気圧により、該キャリア１４は再び次のシリンダ１６bに向かい移動する。
【００１５】
こうして、該キャリア１４は該平板１０の周囲に沿って、該平板１０において絶えず周遊移動を行う。このため、本発明の重点は、いかにして該シリンダ１６c、１６d、１６b、１６a、１６c………と順番に気圧を減少させ或いは気体を排出させ、さらにその減少した気圧或いは気体を充填するか、これにより該シリンダ１６a、１６b、１６c、１６dは気動式発電機２２を運行させるに十分な気圧を持続させるかにある。
【００１６】
すなわち、本発明気圧循環式発電システムは主に該気動式発電機２２の発電機の出気を回収し再利用し、前回減少した気圧或いは気体をシリンダに充填するものである。こうして該シリンダ１６a、１６b、１６c、１６dは順番に気圧が減少し、また順番に気圧が充填され、こうして該キャリア１４は該平板１０上において持続的な移動を行う。また該キャリア１４は順番に該シリンダ１６c、１６d、１６b、１６a、１６c………を経由する。これにより、該シリンダ１６c、１６d、１６b、１６a、１６c………は気体を該気動式発電機２２に送出し、持続的に該気動式発電機２２を運行させ電力を発生させる。
【００１７】
続いて図５〜７に示すように、該キャリア１４は図５に示す位置から該シリンダ１６cの上昇により、図６に示す位置まで移動する時、該シリンダ１６dにまだ完全に到達する前に、該シリンダ１６dは既に該キャリア１４の重量により徐々に気体を排出し、高圧管道に沿って該気体、気圧は該気動式発電機２２の発電機入気口に送入され、該気動式発電機２２を作動させる。該シリンダ１６a、１６b、１６c、１６dは該キャリア１４の重力を受け続け排気し続けるが、該シリンダ１６a、１６b、１６c、１６dは一定の対重力能力を具えるため、しかもそれが具える出気口は一方通行であるため、該シリンダ１６a、１６b、１６c、１６d内の気圧或いは気体は完全に排出されるということはない。
【００１８】
よって、該気動式発電機２２が発電後に排出する気体或いは気圧を、該発電機の出気口、該シリンダ１６dのシリンダ入気口より送入する時、該シリンダ１６dは該シリンダ１６d所在の位置より上昇し、該キャリア１４は図７に示す位置まで移動する。
【００１９】
さらに図４に示すように、気動式発電機２２発電の効果を増加させるため、本発明はシステム中に入気槽２０と加圧器１８を加える。該入気槽２０は該シリンダ１６a、１６b、１６c、１６dのシリンダ出気口が送出する気体を一時的に貯め、該気動式発電機２２の発電機入気口に送出する。該加圧器１８は該シリンダ１６a、１６b、１６c、１６dと該入気槽２０間に設置し、該シリンダ１６a、１６b、１６c、１６dの送出する気体に対して加圧し、該入気槽２０に送出する。こうして、該加圧器１８は気体或いは気圧において、該気動式発電機２２が発電時に生じ得る損耗及び管路と装置中伝送の損耗を補うことができ、これにより本発明気圧循環式発電システムは持続運転を達成する。
【００２０】
同様の原理で、該気動式発電機２２は気体を回収し再利用し該シリンダ１６a、１６b、１６c、１６dに戻す前に、該加圧器２３により気体排出の速度を加速し、該出気槽２４により該気動式発電機２２の発電機出気口が送出する気体を一時的に貯えることができる。この後、該シリンダ１６a、１６b、１６c、１６dのシリンダ入気口に送出する。
【００２１】
またシリンダ組のシリンダの数量を増やすことにより、該気動式発電機２２を持続的に運転させるに足る気圧或いは気体を増やし、該気動式発電機２２の発電量を増やすことができる。該組シリンダは少なくとも１２個を１組とし、該平板１０底部に対称に設置し、該キャリア１４の該平板１０上における該支柱５を巡る継続移動を確保しなければならない。
【図面の簡単な説明】
【００２２】
【図１】本発明気圧循環式発電システムの表示図である。
【図２】本発明気圧循環式発電システムの表示図である。
【図３】本発明気圧循環式発電システムの表示図である。
【図４】本発明気圧循環式発電システムの別種の表示図である。
【図５】本発明気圧循環式発電システムの作動表示図である。
【図６】本発明気圧循環式発電システムの作動表示図である。
【図７】本発明気圧循環式発電システムの作動表示図である。
【符号の説明】
【００２３】
３  サポート台
３a  球体部
５  支柱
１０  平板
１４  キャリア
１６a、１６b、１６c、１６d  シリンダ
１８、２３  加圧器
２０  入気槽
２２  気動式発電機
２４  出気槽
【図１】
2006266263.tif 000003
【図２】
2006266263.tif 000004
【図３】
2006266263.tif 000005
【図４】
2006266263.tif 000006
【図５】
2006266263.tif 000007
【図６】
2006266263.tif 000008
【図７】
2006266263.tif 000009